(57)【要約】【課題】高齢者や身障者などの足腰の弱い人の立ち上がり動作をサポートする従来の起立補助椅子は、複雑な駆動機構を必要としたり、あるいは足腰の弱さを腕力で補うような構造になっており、高価で使用場所が限られたり、あるいは取扱性や安全性に劣るという問題点を有していた。本発明は、これらの点の改善を課題とする。【解決手段】脚部１に固定されたガスシリンダー装置２で座部３が昇降可能に支持された椅子において、脚部の近傍位置にアーム５を揺動可能に取り付け、このアームの一端に足踏み部６を設けると共に、他端をロッド９を介して座部の下面に遊びを持たせて連結した。また、座部には、ガスシリンダー装置のロック解除ボタン４を押し込む操作レバー１２を、上記ロッドの遊びで操作されるように設けた。このことで、足踏み部の押し下げ動作により、ロックの解除と、座部の昇降操作が連続して行えるようにした。【選択図】図１
2006326159.tif 000002
【特許請求の範囲】
【請求項１】
脚部に垂設されたガスシリンダー装置で座部が昇降可能に支持された椅子において、脚部の近傍位置に、一端を足踏み部としたアームが揺動可能に設けられ、該アームの他端はロッドを介して座部の下面に連結され、かつ該ロッドと座部は、所定範囲スライド可能に連結されており、ロッドの上方には、該ロッドの上端と対向するように、一端がガスシリンダー装置のロック解除ボタン上に位置した操作レバーの他端が位置し、上記足踏み部の押し下げ操作により、操作レバーを介してロック解除ボタンが押し込まれ、支柱のロックが解除され、この状態で座部を昇降操作可能にロッドを介して前記足踏み部に座部の荷重が作用するようになされたことを特徴とする起立補助椅子。
【発明の詳細な説明】
【技術分野】
【０００１】
本発明は、高齢者や身障者などの足腰の弱い人の立ち上がりを容易にした起立補助椅子に関し、詳しくは、使用者本人あるいは介助者の足踏み操作のみで、ロック機構が解除され、座部を昇降させることができるようにしたものに関する。
【背景技術】
【０００２】
従来、高齢者や身障者などの足腰の弱い人の立ち上がり動作を補助する椅子としては、例えば、座部をモータなどの駆動手段を用いて昇降させるようにしたものがあった。（例えば、特許文献１参照）。
【０００３】
また、このような動力手段を用いずに立ち上がり動作に連動して座部が持ち上がるようにしたものとしては、例えば、肘掛部を座部に一体的に取り付け、立ち上がりの際、肘掛部の前端を押下することにより、前端で回動可能に取り付けられた座部を、その後部が持ち上げられるように回動させるものがあった。（例えば、特許文献２参照）。
【特許文献１】特許第３２０２１５１号公報（第５−６頁、図８）
【特許文献２】特開昭８−１８７１３７号公報（第２頁、図５）
【発明の開示】
【発明が解決しようとする課題】
【０００４】
上述した従来の起立補助椅子のうち、前者のモータなどの駆動手段を用いて座部を昇降させるようにしたものは、構造が複雑で高価なものになると共に、重量が重く、かつモータ駆動用の電源などを要するため、移動が困難で使用場所も限られるという問題点があった。
【０００５】
また、後者の肘掛部で座部を回動させるようにしたものは、構造が簡単で動力源も必要としないものの、体を支えるための肘掛部が動き、かつ座部も回動するため、立ち上がりの際、肘掛部に体重をかけると、バランスを崩すおそれがあり、特に高齢者など、この種の椅子を使用する者にあっては、転倒などの思わぬ事故を引き起こすおそれがあった。また、この種の椅子を必要とする者にあっては、多くの場合、腕の力も弱く、十分にその機能を発揮できるように操作することができないという問題点も有していた。
【０００６】
本発明は、上記従来の起立動作を補助する機能を備えた椅子が有していた問題点の解決を課題とする。
【課題を解決するための手段】
【０００７】
上記の問題点を解決するために、本発明の起立補助椅子は、脚部に垂設されたガスシリンダー装置で座部が昇降可能に支持された椅子において、脚部の近傍位置に、一端を足踏み部としたアームを揺動可能に設け、このアームの他端は、ロッドを介して座部の下面に連結し、かつロッドと座部は、所定範囲スライド可能とし、ロッドの上方には、このロッドの上端と対向するように、一端がガスシリンダー装置のロック解除ボタン上に位置した操作レバーの他端が位置しており、上記足踏み部の押し下げ操作により、操作レバーを介してロック解除ボタンが押し込まれ、支柱のロックが解除され、この状態で座部を昇降操作可能にロッドを介して足踏み部に座部の荷重が作用するようにしたことを特徴とする。
【発明の効果】
【０００８】
上述したように本発明の起立補助椅子では、脚部の近傍位置に、一端を足踏み部としたアームを揺動可能に設け、このアームの他端に取り付けられたロッドの上端を、座部の下面に所定範囲スライド可能に連結し、ロッドの上側には、ロック解除ボタン操作用の操作レバーを設けることとしたので、足踏み部の押し下げ動作により、ロックの機構と座部の昇降操作が連続して行われる。よって、操作が極めて容易となり、利用者自身が操作する場合は、足載せ部に体重をかけて立ち上がるという自然な動作に連動して座部が持ち上げられ、起立動作が補助される。また、介助者が足載せ部に体重をかけて座部を昇降操作する場合、座部はアームが梃子のように作用することにより、座部を支持したガスシリンダー装置の働きと相まって容易に昇降駆動されることとなる。
【０００９】
よって、高齢者や身障者などの足腰の弱い人の立ち上がり動作が、何らモータや複雑な駆動機構を要することなく、簡易な手段で効果的にサポートされることとなる。また、座部が傾いたり、腕力で座部を駆動するものではないので、安全性に優れると共に、操作も腕力などを要さず自然な動作で容易に行える。さらに動力源が不要で構造も簡単なため、持ち運びや移動が容易で使用場所が制限されず、例えば、車椅子に組み込むことも可能になるという多くの優れた効果を奏する。
【発明を実施するための最良の形態】
【００１０】
以下、本発明を図示した実施の形態に基づき詳細に説明する。
【００１１】
図１は、本発明の起立補助椅子の実施形態を示した斜視図、図２は、その要部の拡大斜視図である。図示したように本発明の椅子の基本的な構造は、従来のものと同様にキャスター１ａが取り付けられた脚部１と、この脚部１で垂直に支持されたガスシリンダー装置２と、このガスシリンダー装置２の本体２ａに出没可能に設けられた支柱２ｂの上端に取り付けられた座部３とからなる。よって、座部３は、ガスシリンダー装置２により、常に上昇する方向に緩衝的に付勢されている。
【００１２】
なお、上記座部３は、断面上向き略コ字形の取付金具３ａに座板部材３ｂをねじ止め固定して形成されており、支柱２ｂは、図３に示すように、この取付金具３ａに一体的に連結固定されている。
【００１３】
また、支柱２ｂの先端（図３において上端）には、ロック解除ボタン４が設けられており、このロック解除ボタン４を押し込むことにより、シリンダー装置２の本体２ａに対する支柱２ｂのロックが解除され、支柱２ｂを本体２ａから出没させる方向に移動させることが可能となっている。
【００１４】
ここにおいて本発明の起立補助椅子では、脚部１の中心の下側に、所定の間隙を有して対向する一対の支持片７，７が突設されており、この支持片７，７を貫通した軸８でアーム５が揺動可能に取り付けられている。
【００１５】
このアーム５の一端（図２において左側）には、略Ｔ字形となるように金属棒が取り付けられ、足踏み部６を形成している。また、アーム５の他端には、ロッド９がその一端を軸１０で回動可能に連結されており、このロッド９の他端（上端側）は、図３に示すように座部４の下面に設けられた受部１０に軸１１で連結されている。ここにおいて、上記軸１１は、ロッド９に設けられた長孔９ａを貫通して取り付けられており、このことでロッド９は、上下に所定範囲スライド可能となっている。
【００１６】
また、ロッド９が連結された取付金具３ａには、図３に示すように、一端がロック解除ボタン５上に位置し、他端の押し上げ部１２ａがロッド９の直上に位置するように、操作レバー１２が軸１３を支点として揺動するように設けられている。
【００１７】
本発明の起立補助椅子は、上記の構成を有している。
【００１８】
次に上記構成を有する本発明の起立補助椅子の働きについて述べると、まず通常の使用の際には、座部３に腰かけることにより、通常の椅子と同様にして使用することができる。なお、その際、足踏み部６を意図的に押し下げない限り、ガスシリンダー装置２の支柱２ｂのロック機構（図示せず）が解除されるおそれはなく、座部３が不用意に上下に移動することはない。
【００１９】
そして、立ち上がる際に、自分で操作するには、まず足踏み部６上に足を載せ、体重をこの足踏み部６にかければ良く、このことで、軸８を支点として揺動可能に取り付けられたアーム５は、この軸８を支点として図中、左方が下がる方向に揺動し、足踏み部６の他方側（図中右側）のロッド９が押し上げられる。このロッド９は、その上端が長孔９ａを介してある程度スライド可能に取付金具３ａに取り付けられているので、押し上げられることにより、まずその上端が操作レバー１２の押し上げ部１２ａに当接し、この操作レバー１２を図中右回転方向に回動させる。このことで、支柱２ｂの上端に設けられたロック解除レバー４が押し込まれ、ガスシリンダー装置２に内装されたロック機構（図示せず）が解除され、支柱２ｂはガスシリンダー装置２の本体２ａから出没する方向に自由に動き得る状態となる。この状態から立ち上がろうと、さらに足踏み部６に体重をかけ、足踏み部６を押し下げると、アーム５が梃子のように作用してロッド９を介して連結された座部３が押し上げられる。よって、足を下ろすにつれて尻が上方に押し上げられることとなり、座部３の支柱３ｂを支持したガスシリンダー装置２の付勢力と相俟って、立ち上がり動作が補助され、足腰の弱い者であっても他人の介添えを要することなく、一人で立ち上がることが可能となるものである。
【００２０】
また、このように自力で操作することが困難な場合は、介助者が足踏み部を踏みつけ操作しても良く、このようにしても同様に座部が持ち上げられ、座った者の立ち上がり動作が補助される。
【００２１】
以上のようにして、本発明の起立補助椅子は、使用されるものである。
【００２２】
なお、図示した実施の形態では、足踏み部６としてアーム５の先端に金属パイプをＴ字形に取付けたものを例示したが、この足踏み部６は、梃子状に機能するアーム５の先端に足で踏みつけ可能に設けられたものであれば良く、その形状は図示したものに限られるものではない。
【図面の簡単な説明】
【００２３】
【図１】本発明に係る起立補助椅子の実施形態を示した斜視図である。
【図２】要部の拡大斜視図である。
【図３】要部の拡大断面図である。
【符号の説明】
【００２４】
１  脚部
２  ガスシリンダー装置
２ａ  本体
２ｂ  支柱
３  座部
３ａ  取付金具
３ｂ  座板部材
４  ロック解除ボタン
５  アーム
６  足踏み部
７  支持片
８，１０，１１，１３  軸
９  ロッド
９ａ  長孔
１０  受部
１２  操作レバー
１２ａ  押し上げ部
【図１】
2006326159.tif 000003
【図２】
2006326159.tif 000004
【図３】
2006326159.tif 000005